(57)【要約】【課題】ＲＣＡジャックを基板上に固定する際、余分なスペースを必要としていた。【解決手段】基板７０上に配置されたＲＣＡジャック６０の上方から、右・左側延設部４０，５０が基板７０にまで到達しない長さに形成された固定具１０を装着し、固定具１０とＲＣＡジャック６０とを強固に係合する。これと同時に、中央脚部３０の先端部３１を基板７０の貫通穴７１に挿入することにより、固定具１０全体を基板７０に対して強固に係止する。その結果、基板７０上の右・左側延設部４０，５０の厚み分のスペースを省いた小さなスペースだけを使って、ＲＣＡジャック６０を強固に固定することができる。加えて、パターン剥がれや部品浮などの不具合を防止することができる。【選択図】  図２
2005108779.tif 000002
【特許請求の範囲】
【請求項１】
基板に形成されたパターン上の所定位置に半田付けされる左右２つのジャックを、固定具を用いて同基板上に固定するテレビジョンにおいて、
上記固定具は、樹脂製の成型品であって、
上記左右２つのジャックを上方から覆う上面部と、上記左右２つのジャック間に生じる空間を通って上記基板に係止可能な長さに同上面部の略中央から下方向に向かって延設される中央脚部と、同中央脚部の一の側面から外側に突出して形成された段部と同段部から先端に向けて同中央脚部が先細りとなる方向に傾斜する斜面とを有す先端部と、同上面部の右側端部から下方向に向かって同中央脚部よりも短い長さに延設され、右側のジャックの右側面を上端から一部覆うとともに、同右側のジャックと相対する側の面に凸部を形成する右側延設部と、同上面部の左側端部から下方向に向かって同中央脚部よりも短い長さに延設され、左側のジャックの左側面を上端から一部覆うとともに、同左側のジャックと相対する側の面に凸部を形成する左側延設部とを備え、
上記基板は、右側のジャックが半田付けされる位置と左側のジャックが半田付けされる位置との間の部位に、上記先端部を挿入するための貫通穴を備え、
上記左右２つのジャックは、ＲＣＡジャックであるとともに、上記固定具を装着した際に上記各延設部から突出する各凸部とそれぞれ相対する位置に各凸部と嵌合する凹部を備えることを特徴とするテレビジョン。
【請求項２】
固定具を用いて複数の信号ラインに夫々対応した複数の接続端子を基板上の所定位置に固定する接続端子固定構造であって、
上記固定具は、上記複数の接続端子を上方から覆う上面部と、上記複数の接続端子間に生じる空間を通って上記基板に係止可能な長さに同上面部の所定位置から下方向に向かって延設される脚部と、同上面部の右側端部から下方向に向かって同脚部よりも短い長さに延設され、上記複数の接続端子のうち右側に位置する接続端子の右側面を上端から一部覆う右側延設部と、同上面部の左側端部から下方向に向かって同脚部よりも短い長さに延設され、上記複数の接続端子のうち左側に位置する接続端子の左側面を上端から一部覆う左側延設部とを備え、
上記脚部の先端部位および上記基板において各接続端子が固定される位置の間の部位には、上記基板に対して上記固定具を係止するための固定具係止部が形成されることを特徴とする接続端子固定構造。
【請求項３】
上記固定具係止部は、上記脚部の一の側面から外側に突出して形成された段部および同段部から先端に向けて上記脚部が先細りとなる方向に傾斜する斜面とを有す先端部位と、上記先端部位を挿入するための貫通穴とからなることを特徴とする請求項２に記載の接続端子固定構造。
【請求項４】
上記右側延設部及び左側延設部は、上記固定具を上記複数の接続端子に装着した際にそれぞれ上記接続端子と相対する側の面に凸部を形成し、上記複数の接続端子は、上記固定具を装着した際に各凸部とそれぞれ相対する位置に各凸部と嵌合する凹部を備えることを特徴とする請求項２または請求項３に記載の接続端子固定構造。
【請求項５】
上記固定具は、上記脚部の左右両側面と上記複数の接続端子との間に生じる空間を埋める空間解消部を有することを特徴とする請求項２〜請求項４のいずれかに記載の接続端子固定構造。
【請求項６】
上記固定具は、その後端部から下方向に向かって延設され、上記複数の接続端子の各後端部位の所定範囲をそれぞれ覆う後側延設部を有することを特徴とする請求項２〜請求項５のいずれかに記載の接続端子固定構造。
【請求項７】
上記固定具は、樹脂製の成型品であることを特徴とする請求項２〜請求項６のいずれかに記載の接続端子固定構造。
【請求項８】
上記複数の接続端子は、左右２つのＲＣＡジャックであることを特徴とする請求項２〜請求項７のいずれかに記載の接続端子固定構造。
【発明の詳細な説明】
【技術分野】
【０００１】
本発明は、テレビジョンおよび接続端子固定構造に関し、特に、接続端子を所定の固定具を用いて基板上に固定するテレビジョンおよび接続端子固定構造に関する。
【背景技術】
【０００２】
従来、この種の技術としては、基板上に取り付けられた左右２つのジャックを、概略、上壁部と、左壁部と、右壁部と、中壁部とからなる押さえホルダによって上側から覆い、各ジャックの基板への取付状態を安定させる、オーディオビジュアル用のジャックの取付固定構造及びジャックの取付固定構造が知られている（例えば、特許文献１参照。）。
【０００３】
上記取付固定構造においては、左壁部、右壁部、中壁部はいずれも基板にまで到達する長さに形成されているとともに、各壁部の下端には、それぞれ脚部が備えられている。そして、各脚部を基板の切込みや貫通穴に挿入することにより、上記押さえホルダで、左右２つのジャックを基板上に取付固定している。
【特許文献１】実用新案登録第３０８８８５２号公報
【発明の開示】
【発明が解決しようとする課題】
【０００４】
上記特許文献１の記載によると、簡単な作業でジャックを基板上に取付固定できるとともに、ジャックにピンジャックを差し込むときの過負荷を低減してパターン浮きを防ぐことが可能である。ここで、上記特許文献１では上記効果は奏するものの、左壁部及び右壁部がいずれも基板にまで到達しているため、左壁部と右壁部の厚みの分、ジャックを基板上に取り付けるためのスペースを多く必要としていた。その結果、基板上の少ないスペースでジャックの取付固定を可能にするという課題は残されたままであった。
【０００５】
本発明は、上記課題にかんがみてなされたもので、基板上の少ないスペースで接続端子を容易かつ強固に固定することが可能なテレビジョンおよび接続端子固定構造を提供することを目的とする。
【課題を解決するための手段】
【０００６】
上記目的を達成するため、請求項１にかかるテレビジョンの発明は、基板に形成されたパターン上の所定位置に半田付けされる左右２つのジャックを、固定具を用いて同基板上に固定するテレビジョンにおいて、上記固定具は、樹脂製の成型品であって、上記左右２つのジャックを上方から覆う上面部と、上記左右２つのジャック間に生じる空間を通って上記基板に係止可能な長さに同上面部の略中央から下方向に向かって延設される中央脚部と、同中央脚部の一の側面から外側に突出して形成された段部と同段部から先端に向けて同中央脚部が先細りとなる方向に傾斜する斜面とを有す先端部と、同上面部の右側端部から下方向に向かって同中央脚部よりも短い長さに延設され、右側のジャックの右側面を上端から一部覆うとともに、同右側のジャックと相対する側の面に凸部を形成する右側延設部と、同上面部の左側端部から下方向に向かって同中央脚部よりも短い長さに延設され、左側のジャックの左側面を上端から一部覆うとともに、同左側のジャックと相対する側の面に凸部を形成する左側延設部とを備え、上記基板は、右側のジャックが半田付けされる位置と左側のジャックが半田付けされる位置との間の部位に、上記先端部を挿入するための貫通穴を備え、上記左右２つのジャックは、ＲＣＡジャックであるとともに、上記固定具を装着した際に上記各延設部から突出する各凸部とそれぞれ相対する位置に各凸部と嵌合する凹部を備える構成としてある。
【０００７】
上記のように構成した請求項１にかかる発明においては、基板に形成されたパターン上の所定位置に半田付けされる左右２つのジャックを、固定具を用いて同基板上に固定する。つまり、上記基板上に配置されている上記左右２つのジャックの上から上記固定具を装着するとともに、上記固定具を上記基板に係止させることにより、上記左右２つのジャックを基板上に強固に固定する。半田付けによる固定のみでは、同ジャックに大きな力が負荷されたときに同ジャックの信号ラインに対応するパターンに強度の負荷がかかり、いわゆるパターン剥がれが生じ得るからである。また、近年のＡＶ機器の駆動部分の小型化・高性能化に伴い、テレビジョンに搭載される基板には、多くの接続端子類や電子部品類を、小さく限られた基板上のスペースに余分な隙間無くコンパクトに実装することが求められている。
【０００８】
そこで、上記固定具は、上記左右２つのジャックを上方から覆う上面部と、同上面部の略中央から下方向に向かって延設される中央脚部と、同中央脚部の先端部位に形成される先端部と、同上面部の右側端部及び左側端部から、それぞれ下方向に向かって同中央脚部よりも短い長さに延設される右側延設部および左側延設部とを備えている。同中央脚部は、基板上に配置している上記左右２つのジャックの上方から上記固定具を装着した際に、２つのジャック間に生じる空間を通過し、同先端部を上記基板に係止させる。つまり、上記固定具を上記左右２つのジャックに装着した際に、同中央脚部の一の側面から外側に突出して形成された段部と同段部から先端に向けて同中央脚部が先細りとなる方向に傾斜する斜面とを有す先端部が、上記基板の右側のジャックが半田付けされる位置と左側のジャックが半田付けされる位置との間の部位に形成された貫通穴に挿入される。その結果、上記固定具が上記基板に強固に係止されるとともに、上面部と右側延設部と左側延設部とが、それぞれ外側から上記左右２つのジャックを覆い、同ジャックを上記基板上に固定する。
【０００９】
同右側延設部及び左側延設部は、右側のジャックの右側面および左側のジャックの左側面をそれぞれ上端から一部だけ覆っている。つまり、同右側延設部及び左側延設部はその長さが同中央脚部よりも短く、いずれも上記基板にまで到達しないため、上記固定具によって各ジャックを固定する際に、上記基板上においては同右側延設部及び左側延設部の厚み分のスペースを必要としない。すなわち、上記固定具を用いることによって、上記基板上の小さなスペースに上記左右２つのジャックを固定することができ、同時に、右側のジャックの右側および左側のジャックの左側に空きスペースを確保することができる。
【００１０】
同右側延設部の右側のジャックと相対する側の面及び左側延設部の左側のジャックと相対する側の面には、凸部が形成されている。一方、上記左右２つのジャックは、上記固定具を装着した際に各凸部とそれぞれ相対する位置に各凸部と嵌合する凹部を備える。従って、上記固定具を上記左右２つのジャックに装着した際に、各凸部がそれぞれ相対する凹部内に案内されて嵌合し、上記固定具と上記左右２つのジャックとは強固に係合しあう。
【００１１】
このように、上記固定具が上記基板に強固に係止されるとともに、上記固定具と上記左右２つのジャックとが強固に係合しあうため、上記左右２つのジャックは、上記基板上において強固に固定されることになる。さらに、上記左右２つのジャックは半田付けによって上記基板に取り付けられるため、先端部を含めて複数箇所で上記基板に固定されることになる。よって、上記左右２つのジャックは、上記基板上に十分強固に固定されていると言える。その結果、上記左右２つのジャックに大きな負荷が掛かった場合にも、いわゆるパターン剥がれを防ぐことができ、また、部品浮きなどの不具合も防ぐことができる。
【００１２】
ここで、上記左右２つのジャックはＲＣＡジャックである。ＲＣＡジャックは、種々の接続端子類の中でも特に、テレビジョンの製品組み立て時や、ユーザの使用時などにおいて大きな負荷を受けやすく、パターン剥がれ等のトラブルが生じやすい。そこで、本願においては、かかるＲＣＡジャックを上記基板上に強固に固定する構成としている。また、上記固定具は樹脂製の成型品である。樹脂製の成型品とすれば、その製造は容易である。そして、上記基板への上記ＲＣＡジャックの固定作業も、同成型品を上記基板上に配置された上記ＲＣＡジャックの上から装着して、先端部を上記基板の嵌入穴に嵌め入れるとともに、各凸部をそれぞれ相対する凹部に嵌合させるだけなので、非常に簡単である。
【００１３】
請求項２にかかる発明は、固定具を用いて複数の信号ラインに夫々対応した複数の接続端子を基板上の所定位置に固定する接続端子固定構造であって、上記固定具は、上記複数の接続端子を上方から覆う上面部と、上記複数の接続端子間に生じる空間を通って上記基板に係止可能な長さに同上面部の所定位置から下方向に向かって延設される脚部と、同上面部の右側端部から下方向に向かって同脚部よりも短い長さに延設され、上記複数の接続端子のうち右側に位置する接続端子の右側面を上端から一部覆う右側延設部と、同上面部の左側端部から下方向に向かって同脚部よりも短い長さに延設され、上記複数の接続端子のうち左側に位置する接続端子の左側面を上端から一部覆う左側延設部とを備え、上記脚部の先端部位および上記基板において各接続端子が固定される位置の間の部位には、上記基板に対して上記固定具を係止するための固定具係止部が形成される構成としてある。
【００１４】
上記のように構成した請求項２にかかる接続端子固定構造の発明においては、基板上の所定位置に、複数の信号ラインに夫々対応した複数の接続端子を固定具を用いて固定する。通常、上記接続端子は基板上の所定位置に半田付けされるが、かかる半田による固定作業とは別途、上記固定具による固定作業を行う。ここで、上記固定具は次のように用いられる。すなわち、上記基板上の所定位置に配置された接続端子の上から装着した際に、上面部は上記接続端子を上方から覆う。そして、上面部の所定位置から下方向に向かって延設されている脚部は、上記複数の接続端子間に生じる空間を通り、その先端部位を上記基板に到達させる。なお、同脚部は、上記基板に係止可能な長さに上面部から延設されている。同脚部の先端部位および上記基板において各接続端子が固定される位置の間の部位には、固定具係止部が形成されているため、同脚部の先端部位が上記基板に到達した際に、上記固定具は上記基板に係止される。
【００１５】
また、同右側延設部と左側延設部とは、上記複数の接続端子のうち右側に位置する接続端子の右側面と左側に位置する接続端子の左側面とを上端からそれぞれ一部覆う。このように、上記脚部の先端部位で上記基板に係合する上記固定具は、上面部と、右側延設部と、左側延設部とによって上記接続端子を外側から覆うことで上記接続端子を上記基板上に強固に固定する。かかる固定具による上記接続端子の固定作業は、同固定具を上記基板上に配置された上記接続端子の上から装着して、先端部位と上記基板とを係止させるだけなので、非常に簡単である。
【００１６】
同右側延設部及び左側延設部はその長さが同脚部よりも短く、いずれも上記基板にまで到達しない。よって、上記固定具で上記接続端子を固定する際に、上記基板上においては同右側延設部及び左側延設部の厚み分のスペースを必要としない。すなわち、上記固定具を用いることによって、上記基板上の小さなスペースに上記接続端子を固定することができ、同時に、上記接続端子の左右両外側に空きスペースを確保することができる。
【００１７】
上記固定具は、上記基板に係止する際には係止しやすく、一旦上記基板に係止されて、上記接続端子を上記基板に固定した後はその係止状態が解除され難い形状であることが望ましい。そこで、請求項３にかかる発明は、上記請求項２に記載の接続端子固定構造において、上記固定具係止部は、上記脚部の一の側面から外側に突出して形成された段部及び同段部から先端に向けて上記脚部が先細りとなる方向に傾斜する斜面とを有す先端部位と、上記先端部位を挿入するための貫通穴とからなる構成としてある。
【００１８】
上記のように構成した請求項３かかる発明においては、上記固定具を上記接続端子の上方から装着した際に、上記先端部位を上記貫通穴に挿入することによって上記固定具を上記基板に係止する。ここで、上記先端部位は、上記段部から先端に向けて上記脚部が先細りとなる方向に傾斜する斜面を有しているため先端が最も細く、上記貫通穴に挿入し易い形状となっている。そして、上記段部が上記貫通穴を通過して上記基板の裏側に出る深さまで、上記先端部位を上記貫通穴に挿入する。上記段部は、上記脚部の一の側面から外側に突出するため、上述のように一旦先端部位を上記貫通穴に挿入すると、上記段部が上記基板の裏側における貫通穴の縁部に当接して上記固定具と上記基板との係止状態が解除され難くなる。
【００１９】
請求項４にかかる発明は、上記請求項２または請求項３に記載の接続端子固定構造において、上記右側延設部及び左側延設部は、上記固定具を上記複数の接続端子に装着した際にそれぞれ上記接続端子と相対する側の面に凸部を形成し、上記複数の接続端子は、上記固定具を装着した際に各凸部とそれぞれ相対する位置に各凸部と嵌合する凹部を備える構成としてある。
【００２０】
上記のように構成した請求項４にかかる発明においては、上記右側延設部及び左側延設部は、上記固定具を上記複数の接続端子に装着した際にそれぞれ上記接続端子と相対する側の面に凸部を形成している。また、上記複数の接続端子は、上記固定具を装着した際に各凸部とそれぞれ相対する位置に各凸部と嵌合する凹部を備えている。すなわち、上記右側延設部及び左側延設部が上記接続端子の左右両外側を上端から一部覆うだけでなく、上記右側延設部及び左側延設部に形成された各凸部を上記接続端子の凹部に嵌合させることによって、上記固定具と上記接続端子とをより強固に係合可能な構成としている。上記固定具とより強固に係合した上記接続端子は、上記固定具によって、上記基板上の所定位置により強固に固定される。また、上記凸部及び上記凹部によって上記固定具と上記接続端子とを強固に係合可能な分、上記接続端子の左右両外側を一部覆う上記右側延設部及び左側延設部自体の厚さを薄くすることも可能である。その結果、上記基板上において、より小さなスペースに上記接続端子を固定することが可能となる。
【００２１】
上記固定具は、上面部と右側延設部と左側延設部とによって上記複数の接続端子を外側から覆う。しかし、上記脚部と脚部の左右両側に位置する各接続端子との間に、いくらかの余分な空間が生じてしまうことがある。そこで、請求項５にかかる発明は、上記請求項２〜請求項４のいずれかに記載の接続端子固定構造において、上記固定具は、上記脚部の左右両側面と上記複数の接続端子との間に生じる空間を埋める空間解消部を有する構成としてある。
【００２２】
上記のように構成した請求項５にかかる発明においては、上記固定具は、空間解消部を有し、上記脚部の左右両側面と上記複数の接続端子との間に生じる空間を埋める。その結果、上記複数の接続端子を構成する各接続端子は、各延設部および空間解消部によって左右両側から覆われることになり、上記固定具と上記接続端子とがより強固に係合する。従って、かかる構成により、上記複数の接続端子は、より強固に、上記基板上に固定される。
【００２３】
請求項６にかかる発明は、上記請求項２〜請求項５のいずれかに記載の接続端子固定構造において、上記固定具は、その後端部から下方向に向かって延設され、上記複数の接続端子の各後端部位の所定範囲をそれぞれ覆う後側延設部を有する構成としてある。
【００２４】
上記のように構成した請求項６にかかる発明においては、上記固定具は、その後端部から下方向に向かって延設された後側延設部を有する。同後側延接部は、上記複数の接続端子の各後端部位の所定範囲をそれぞれ覆うように延設されている。従って、上記接続端子が前方向からの負荷を受けても、同後側延接部が支えとなり、上記接続端子の後ろ方向への位置ずれやいわゆるパターン剥がれを防ぐ。
【００２５】
上記固定具の材質としては種々の材質を選択可能であるが、その一例として、請求項７にかかる発明は、上記請求項２〜請求項６のいずれかに記載の接続端子固定構造において、上記固定具は、樹脂製の成型品である構成としてある。樹脂製の成型品とすれば、一つの金型で、上記固定具を容易に量産することができ、一つ当たりの生産コストも安価である。また、樹脂製とすれば弾性を有するため、上記固定具を上記接続端子に装着する際、上記先端部位を上記基板の貫通穴に挿入しやすく、上記凸部を上記凹部に嵌合させやすい。
【００２６】
上記複数の接続端子の一例として、請求項８にかかる発明は、上記請求項２〜請求項７のいずれかに記載の接続端子固定構造において、上記複数の接続端子は、左右２つのＲＣＡジャックである構成としてある。ＲＣＡジャックにユーザがプラグを差し込む際、ＲＣＡジャックの信号ラインに対応するパターンに大きな負荷が掛かるため、いわゆるパターン剥がれが生じやすい。また、ＲＣＡジャックが実装された基板をテレビジョンなどのキャビネットに搭載する際に、キャビネットと基板の外縁から出ているＲＣＡジャックの先端部分とが衝突し、同衝突の衝撃によりパターン剥がれが生じることもある。そこで、かかるＲＣＡジャックを基板上に強固に固定する必要性に鑑みて、請求項８においては、上記複数の接続端子を左右２つのＲＣＡジャックとしている。
【発明の効果】
【００２７】
以上説明したように、請求項１にかかる発明によれば、基板上の小さなスペースにおいて、左右２つのＲＣＡジャックを容易に、かつ、強固に固定し、同左右２つのＲＣＡジャックのいわゆるパターン剥がれや部品浮きを防止可能なテレビジョンを提供することができる。
また、請求項２にかかる発明によれば、基板上の小さなスペースにおいて、複数の接続端子を容易に、かつ、強固に固定し、同複数の接続端子のいわゆるパターン剥がれや部品浮きを防止可能な接続端子固定構造を提供することができる。
さらに、請求項３にかかる発明によれば、固定具を容易に基板に係止することができ、かつ、一旦基板に係止した固定具は解除され難くなる。
さらに、請求項４〜請求項６にかかる発明によれば、複数の接続端子をより強固に基板上に固定することができる。
さらに、請求項７にかかる発明によれば、低コストかつ容易に量産可能であるとともに、固定作業にも適した固定具を提供することができる。
さらに、請求項８にかかる発明によれば、基板上に強固に固定する必要性の高い左右２つのＲＣＡジャックを、基板上の小さなスペースにおいて容易に固定し、いわゆるパターン剥がれや部品浮きを防止可能としている。
【発明を実施するための最良の形態】
【００２８】
以下の順序に従って、本願発明の実施形態について説明する。
（１）第一の実施形態
（２）他の実施形態
（３）まとめ
【００２９】
（１）第一の実施形態
図１は、本願発明の第一の実施形態にかかる固定具及びＲＣＡジャックを斜示図により示している。
同図においては、基板７０の所定位置にＲＣＡジャック６０が配置されている。ＲＣＡジャック６０は、基板７０に形成された図示しないパターンと電気的に接続するために、基板７０の裏側において半田付けされる。ＲＣＡジャック６０は、右側に配置されるジャック６１及び左側に配置されるジャック６２とからなり、ジャック６１は音声信号ラインに、ジャック６２は映像信号ラインに夫々対応している。ジャック６１，６２の略円筒形状のソケット６１ａ，６２ａには、夫々プラグ８１，８２が接続される。また、ジャック６１の右側面の上方には凹部６１ｂが形成されており、ジャック６２の左側面の上方には凹部６２ｂが形成されている。さらに、ジャック６１とジャック６２との間に位置する基板７０の部位には、略矩形状の貫通穴７１が形成されている。
【００３０】
一方、固定具１０は、概略、上面部２０と、中央脚部３０と、右側延設部４０と、左側延設部５０とから構成されている。上面部２０は、固定具１０をＲＣＡジャック６０の上方から装着した際に、ＲＣＡジャック６０の上面を覆うものであり、上面部２０の左右方向の長さｄ１と、ＲＣＡジャック６０の左右方向の長さｄ２は略一致する。また、上面部２０の略中央からは、下向きに中央脚部３０が延設されている。中央脚部３０は、固定具１０をＲＣＡジャック６０の上方から装着した際に、ジャック６１とジャック６２との間の空間を通過する。中央脚部３０の先端部３１は、段部３１ａと斜面３１ｂとを有している。段部３１ａは、中央脚部３０の一の側面から外側に突出して形成されている。そして、斜面３１ｂは、段部３１ａの外端から中央脚部３０の先端に向けて、同先端が先細りとなる方向に傾斜している。
【００３１】
上面部２０の左右両端からは、下向きに右側延設部４０と左側延設部５０とが、それぞれ延設されている。右側延設部４０および左側延設部５０は、いずれも中央脚部３０よりも短く、固定具１０をＲＣＡジャック６０の上方から装着した際に基板７０に到達しない長さに設計されている。また、右側延設部４０および左側延設部５０は、固定具１０をＲＣＡジャック６０に装着した際にそれぞれＲＣＡジャック６０と相対する側の面に凸部４１，５１を形成している。言い換えると、右側延設部４０および左側延設部５０の中央脚部３０の方向を向く側面に凸部４１，５１がそれぞれ形成されている。かかる構成をした固定具１０を、ＲＣＡジャック６０の上方から装着して、ＲＣＡジャック６０を基板７０上に固定する。
【００３２】
図２は、固定具１０をＲＣＡジャック６０の上方から装着した状態を正面から示している。
同図においては、上面部２０がＲＣＡジャック６０の上面を覆って、ほぼ密着状態となっている。また。右側延設部４０，左側延設部５０は、ジャック６１の右側面，ジャック６２の左側面を、それぞれ上端から一部覆ってほぼ密着状態となっている。ジャック６１とジャック６２との間を通過する中央脚部３０は、先端部３１を貫通穴７１に挿入している。先端部３１は、段部３１ａが基板７０の裏側に出る深さまで貫通穴７１に挿入される。
【００３３】
先端部３１が貫通穴７１に挿入される際、まず、斜面３１ｂが貫通穴７１の開口縁部７１ａに当たる。そして、先端部３１が深く挿入されるに従って、斜面３１ｂと同開口縁部７１ａとの当接位置が、中央脚部３０の先端から段部３１ａの外端に向かう方向に移動する。先端部３１を貫通穴７１に挿入していき、段部３１ａが完全に貫通穴７１を通過した時点で、先端部３１の挿入作業は完了する。なお、貫通穴７１の左右方向の幅と、段部３１ａ部分における先端部３１の左右方向の幅とは、略同等の大きさに形成し、段部３１ａが貫通穴７１を通過する際に若干無理入れになるようにする。ここで、斜面３１ｂと同開口縁部７１ａとがその当接位置を移動させていく間、中央脚部３０は、段部３１ａが突出する方向とは逆の方向に徐々に湾曲していく。段部３１ａが貫通穴７１を通過しきった際、中央脚部３０の湾曲状態は解除され、下方向に略真直ぐに延設された元の状態に戻る。
【００３４】
段部３１ａ部分における先端部３１の左右方向の幅と貫通穴７１の左右方向の幅とは略同等であり、同段部３１ａは中央脚部３０の側面から外側に向かって突出しているため、基板７０の裏側に出た段部３１ａは、その外端が貫通穴７１の裏側の開口縁部よりも外に達する。従って、同図に示す深さまで貫通穴７１に挿入された先端部３１は、貫通穴７１から抜け難くなり、固定具１０全体が、基板７０に対して強固に係止される。
【００３５】
一方、右側延設部４０とジャック６１の右側面、及び、左側延設部５０とジャック６２の左側面においては、各凸部４１，５１と各凹部６１ｂ，６２ｂとが夫々嵌合している。すなわち、各凸部４１，５１は、固定具１０がＲＣＡジャック６０の上方から装着され、右側延設部４０及び左側延設部５０が、ジャック６１及びジャック６２を上端から一部覆う際に、各凹部６１ｂ，６２ｂ内に案内されて嵌合する。その結果、固定具１０とＲＣＡジャック６０とは、互いに強固に係合しあう。このようにＲＣＡジャック６０は、先端部３１で基板７０に強固に係止された固定具１０によって上面及び左右両側面の一部をほぼ密着状態で覆われるとともに、同固定具１０と強固に係合し合っているため、基板７０上に強固に固定される。
【００３６】
上述の通り、固定具１０をＲＣＡジャック６０に装着した際、右側延設部４０及び左側延設部５０は基板７０にまで到達しない。その結果、固定具１０によって、基板７０上において、右側延設部４０及び左側延設部５０の厚み分のスペースを省いた小さなスペースに、ＲＣＡジャック６０を固定することが可能となる。また、基板７０上に確保されたジャック６１の右側およびジャック６２の左側のスペースには、他の電子部品９０ａ，９０ｂを実装することができる。すなわち、本願にかかる固定具１０によれば、ＲＣＡジャック６０を基板７０上の小さなスペースに固定可能であるため、基板７０上に他の電子部品を実装するためのスペースを確保することができ、基板の小型化という要請に大きく応えることができる。
【００３７】
また、固定具１０によってＲＣＡジャック６０が基板７０上に強固に固定されることにより、ＲＣＡジャック６０に強い負荷がかかった場合でも、固定位置のずれが生じなくなる。そして、同負荷がＲＣＡジャック６０の各信号ラインに対応するパターンに荷重されることによるいわゆるパターン剥がれも防ぐことができる。さらに、固定具１０は、ＲＣＡジャック６０を上方から基板７０に向かって押さえつける働きをするので、部品浮きなどの不具合をも防ぐ役割を果たす。
ここで、ＲＣＡジャック６０は半田付けによって上記基板７０に取り付けられることを考慮すると次のことが言える。すなわち、ＲＣＡジャック６０は、半田付け箇所及び先端部３１による複数箇所で基板７０に対して固定されるため、大きな負荷を受けた場合にも同負荷は、かかる複数箇所に分散する。従って、先端部３１にのみ大きな負荷が掛かって先端部３１や中央脚部３０が破損するということは防がれる。
【００３８】
図３は、テレビジョンのフロントキャビネット１１０の所定位置に基板７０を取り付ける状態を示している。
同図に示すように、基板７０上にはＲＣＡジャック６０が実装されており、同ＲＣＡジャック６０は、固定具１０によって固定されている。ここで、ＲＣＡジャック６０の略円筒形状のソケット６１ａ，６２ａは、その先端をフロントキャビネット１１０に形成された円穴１１１，１１２を介して外部に露出させる。円穴１１１，１１２は、ソケット６１ａ，６２ａの外径と略同径である。従って、フロントキャビネット１１０に基板７０を取り付ける際には、円穴１１１，１１２の位置と、上記ソケット６１ａ，６２ａの位置とを合わせた上で両者を合体させる必要がある。しかし、テレビジョンの組み立て作業においては、円穴１１１，１１２と上記ソケット６１ａ，６２ａとの位置合わせが常に完璧に行われるとは限らず、円穴１１１，１１２と上記ソケット６１ａ，６２ａとを接近させた際に、互いの位置に若干のずれを生じることも有り得る。
【００３９】
互いの位置が若干ずれた状態で円穴１１１，１１２と上記ソケット６１ａ，６２ａとを接近させると、上記ソケット６１ａ，６２ａの先端が円穴１１１，１１２の縁部に衝突してしまう。かかる衝突の衝撃によっては、ＲＣＡジャック６０の各信号ラインに対応するパターンにおいて、いわゆるパターン剥がれが生じかねない。しかし、上述したように、ＲＣＡジャック６０は、固定具１０によって基板７０に強固に固定されているため、上記のような衝撃を受けた際にも、その固定位置がずれることは無く、パターン剥がれは防がれる。
【００４０】
図４は、ＲＣＡジャック６０を備えるテレビジョン１００を正面から示している。
同図に示すように、円穴１１１，１１２からはＲＣＡジャック６０のソケット６１ａ，６２ａが、その先端を外部に露出させている。ユーザは、同ソケット６１ａ，６２ａに、必要に応じてプラグ８１，８２を抜き差しする。同プラグ８１，８２は、それぞれ中心にピンを有すとともに、同ピンの外側に円形端子を有している。かかる構成のプラグ８１，８２をソケット６１ａ，６２ａに差し、又はソケット６１ａ，６２ａから抜く際、ユーザの力の入れ様によっては、ＲＣＡジャック６０全体に相当の負荷が加わる。従来、ＲＣＡジャック６０は、かかるユーザの使用時の負荷によって、いわゆるパターン剥がれを起こしかねなかった。しかし、上述したように、ＲＣＡジャック６０は、固定具１０によって基板７０に強固に固定されているため、上記のような負荷を受けた際にも、その固定位置がずれることは無く、かかるパターン剥がれは防がれる。
【００４１】
ここで、固定具１０は、樹脂製の成型品とするとよい。樹脂製の成型品とすれば、一つの金型で固定具１０を容易に量産でき、一つ当たりの生産コストも低くできる。また、樹脂製とすれば、ある程度の弾性を有するため、先端部３１を貫通穴７１に挿入する作業や、各凸部４１，５１を各凹部６１ｂ，６２ｂに嵌合させる作業が比較的容易となる。ただし、固定具１０の素材として樹脂製に限定する必要はなく、鉄板など、種々の素材を加工して固定具１０を生産可能であることは言うまでも無い。また、上記においては、テレビジョン１００のフロントキャビネット１１０の所定位置から外部に接続可能なＲＣＡジャック６０を例に説明を行ったが、ＲＣＡジャックは、リアキャビネット側から外部に接続するものであってもよい。加えて、外部接続用に用いるＲＣＡジャックを基板上に固定する必要がある機器であれば、ビデオプレーヤ、ＤＶＤプレーヤ等、種々のＡＶ機器に本願にかかる固定構造を適用可能である。
【００４２】
（２）他の実施形態
上記構成の固定具１０を用いることにより、ＲＣＡジャック６０を基板７０上において強固に固定することが可能であるが、以下の固定具の構成を採ることで、より強固にＲＣＡジャック６０を固定することができる。
図５は、空間解消部１７０を有する固定具１２０をＲＣＡジャック６０の上方から装着した状態を正面から示している。同図では、中央脚部１４０の左右両側面において、中央脚部１４０の上端から下方向に向かう一定範囲に空間解消部１７０が形成されている。なお、空間解消部１７０を有する以外、上面部１３０，中央脚部１４０，右側延設部１５０，左側延設部１６０など、他の構成は第一の実施形態にかかる固定具１０と同様である。
【００４３】
空間解消部１７０は、中央脚部１４０の左右両側面に生じるジャック６１及びジャック６２との間の空間を埋め、同空間解消部１７０の側面においては、ジャック６１の左側面及びジャック６２の右側面とほぼ密着状態となる。よって、ジャック６１，６２はいずれも、固定具１２０によって左右両方向からしっかりと固定され、固定具１２０とより強固に係合しあう。その結果、ＲＣＡジャック６０全体が、基板７０上により強固に固定される。なお、中央脚部１４０の左右両側面における空間解消部１７０の形成される範囲は何ら限定されるものではない。右側延設部１５０，左側延設部１６０とともに、ジャック６１，６２を左右両側から固定できるものであればよく、例えば、中央脚部１４０の上端から先端までの距離の３分の１程度の範囲に形成してもよい。
【００４４】
また、同図に示すよう、空間解消部１７０の下端部位に、ジャック６１，６２と相対する各側面から中央脚部１４０の側面に向かって、空間解消部１７０の下端が先細りとなる方向に傾斜する斜面１７１を形成してもよい。かかる斜面１７１を形成すれば、固定具１２０をＲＣＡジャック６０の上方から装着する際に空間解消部１７０の下端部位とジャック６１又は６２の上面とが接触しても、中央脚部１４０及び空間解消部１７０がスムーズにジャック６１とジャック６２との間の空間に案内される。その結果、固定具１２０の装着作業が容易になる。
【００４５】
図６は、後側延設部１９１，１９２を有する固定具１８０をＲＣＡジャック６０の上方から装着した状態を後方斜視図により示している。
同図においては、上面部１９０の後端から、２つの後側延設部１９１，１９２が下方向に延設されている。なお、後側延設部１９１，１９２を有する以外、上面部１９０，中央脚部２００，右側延設部２１０，左側延設部２２０など他の構成は、上記固定具１０又は固定具１２０と同様である。ここで、後側延設部１９１は、固定具１８０を装着した際に、ジャック６１の後方に形成された凹部６１ｃの上端縁部に引っ掛かるとともに、同凹部６１ｃを上端から一部覆う。同様に、後側延設部１９２は、固定具１８０を装着した際に、ジャック６２の後方に形成された凹部６２ｃの上端縁部に引っ掛かるとともに、同凹部６２ｃを上端から一部覆う。かかる固定具１８０を用いてＲＣＡジャック６０を基板７０上に固定すれば、ＲＣＡジャック６０が前方向からの負荷を受けたときに後側延設部１９１，１９２が支えとなり、ＲＣＡジャック６０が後方に位置ずれすることを防ぐことができる。また、同負荷がＲＣＡジャック６０の各信号ラインに対応するパターンに荷重されることによるパターン剥がれを防ぐことができる。
【００４６】
（３）まとめ
このように、基板７０上に配置されたＲＣＡジャック６０の上方から、右・左側延設部４０，５０が基板７０にまで到達しない長さに形成された固定具１０を装着し、固定具１０とＲＣＡジャック６０とを強固に係合する。これと同時に、中央脚部３０の先端部３１を基板７０の貫通穴７１に挿入することにより、固定具１０全体を基板７０に対して強固に係止する。その結果、基板７０上の右・左側延設部４０，５０の厚み分のスペースを省いた小さなスペースだけを使って、ＲＣＡジャック６０を強固に固定することができる。加えて、パターン剥がれや部品浮などの不具合を防止することができる。
【図面の簡単な説明】
【００４７】
【図１】第一の実施形態にかかる固定具及びＲＣＡジャックを示した斜示図である。
【図２】固定具をＲＣＡジャックの上方から装着した状態を示した正面図である。
【図３】基板をテレビジョンのフロントキャビネットの所定位置に取り付ける状態を示した斜視図である。
【図４】テレビジョンの正面図である。
【図５】空間解消部を有する固定具をＲＣＡジャックの上方から装着した状態を示した正面図である。
【図６】後側延設部を有する固定具をＲＣＡジャックの上方から装着した状態を示した後方斜視図である。
【符号の説明】
【００４８】
１０，１２０，１８０…固定具
２０，１３０，１９０…上面部
３０，１４０，２００…中央脚部
３１…先端部
３１ａ…段部
３１ｂ…斜面
４０，１５０，２１０…右側延設部
５０，１６０，２２０…左側延設部
４１，５１…凸部
６０…ＲＣＡジャック
６１，６２…ジャック
６１ａ，６２ａ…ソケット
６１ｂ，６２ｂ，６１ｃ，６２ｃ…凹部
７０…基板
７１…貫通穴
７１ａ…開口縁部
１００…テレビジョン
１１０…フロントキャビネット
１１１，１１２…円穴
１７０…空間解消部
１７１…斜面 
１９１，１９２…後側延設部
【図１】
2005108779.tif 000003
【図２】
2005108779.tif 000004
【図３】
2005108779.tif 000005
【図４】
2005108779.tif 000006
【図５】
2005108779.tif 000007
【図６】
2005108779.tif 000008